(57)【要約】    【課題】安全に使用及び保管することができる軽量コンパクトな鋏の提供。    【解決手段】この鋏１０は、鋏本体１１と、安全カバー１２とを備えている。鋏本体１１は、握り鋏として構成されている。安全カバー１２は、一対のカバー片７１、７２を有し、ピボット７３によって回動自在に連結されている。ピボット７３は、刃部２２、２３と連結部材３３との間でスライドする。安全カバー１２は、刃部２２、２３を被う姿勢と、刃部２２、２３を露出させる姿勢との間で変位する。安全カバー１２は、刃部２２、２３を被うことにより、刃３７、４０を保護する部材として機能する。安全カバー１２は、刃部２２、２３を露出させることにより、鋏１０の把手として機能する。安全カバー１２の全長は、鋏本体１１の全長よりも小さく設定されている。【選択図】図１
2007167139.tif 000002
【特許請求の範囲】
【請求項１】
Ｕ字状に形成された基部及び基部の各先端部に対向するように設けられた一対の刃部を有する鋏本体と、
一方の刃部が峰側から挿入されるように断面形状がＣ字状に形成された一方のカバー片及び他方の刃部が峰側から挿入されるように断面家状がＣ字状に形成された他方のカバー片を有する安全カバーと、
各カバー片の先端部同士が近接すると共に後端部同士が離反する閉塞姿勢と各カバー片の先端部同士が離反すると共に後端部同士が近接する開放姿勢との間で上記安全カバーが姿勢変化するように当該各カバー片を連結するピボットと、
当該ピボットが上記基部の内側で当該基部の先端部側から基端部側へ移動されることによって上記刃部が露出され且つ上記基部が被われた状態で上記安全カバーを上記開放姿勢に保持すると共に、ピボットが上記基部の内側で当該基部の基端部側から先端部側へ移動されることによって上記基部が露出され且つ上記刃部が被われた状態で上記安全カバーを上記閉塞姿勢に保持する姿勢保持手段とを備えた鋏。
【請求項２】
上記姿勢保持手段は、
上記基部に設けられ、上記安全カバーが上記開放姿勢に変化したときに上記ピボットよりも上記先端部側で各カバー片の内壁面を押圧すると共に、上記安全カバーが上記閉塞姿勢に変化したときに上記ピボットよりも上記基端部側で各カバー片の内壁面を押圧する押圧面部を備えている請求項１に記載の鋏。
【請求項３】
上記各カバー片の先端部に、当該安全カバーが上記閉塞姿勢となったときに面接触する平坦面が形成されている請求項１又は２に記載の鋏。
【請求項４】
上記一対の刃部は、その一部が対向方向に交差するように当該対向方向に直交する方向に重ね合わされており、
上記基部は、当該基部の先端部側から基端部側への上記ピボットの移動を規制する移動規制部材を備えている請求項１から３のいずれかに記載の鋏。
【請求項５】
上記安全カバーは、指掛部を備えている請求項１から４のいずれかに記載の鋏。
【請求項６】
上記安全カバーは、畜光材を有する樹脂からなる請求項１から５のいずれかに記載の鋏。
【請求項７】
上記基部の内底部に磁石が設けられている請求項１から６のいずれかに記載の鋏。
【請求項８】
上記磁石は、指を掛けることができる凹部を備えている請求項７に記載の鋏。
【発明の詳細な説明】
【技術分野】
【０００１】
本発明は、本発明は、釣糸等の始末や刺繍糸の切断等の細かい作業に適する鋏の構造に関するものである。
【背景技術】
【０００２】
例えば釣人は、釣りを行うにあたって所望の仕掛けを作成し、釣りの際中には仕掛けを交換ないし変更し、釣りが終わると仕掛けを切断するなど、常に釣糸を始末する必要がある。また、釣りに限らず、例えば和裁においては、作業者は刺繍糸等を始末する必要がある。このような釣糸や刺繍糸等を始末する作業を円滑に行うための道具として、従来から鋏が提供されている。鋏は、通常、作業者が把持する鋏本体と、鋏本体に設けられた刃部とを有する。刃部は一般に鋼からなり、きわめて鋭利に形成されているため、鋏は、使用時のみならず不使用時（例えば保管時）においても安全が確保されなければならない。そのため、刃部を被うことができるケースを備えた鋏が従来から提供されている（例えば、特許文献１及び特許文献２参照）。
【０００３】
【特許文献１】特開平８−１８２８７０号公報
【特許文献２】実開平４−３２６６７号公報
【発明の開示】
【発明が解決しようとする課題】
【０００４】
鋏本体にケースが設けられる場合であっても、ケースが鋏本体から取り外されるタイプのものでは当該ケースが失われるおそれがある。そのため、例えば釣り等のアウトドア用の鋏では、ケースと鋏本体とが完全に分離せず、鋏本体がケースに対して進退するタイプのものが提案されている。このタイプの鋏では、使用時に鋏本体がケースにから突出すると共に、保管時には鋏本体がケース内に収納されるようになっている。
【０００５】
しかし、このタイプの鋏では、使用時にケースから鋏本体が突出されると、鋏の全長が大きくなり、細かい作業においては使い勝手が悪くなる場合があった。また、特に釣り等において使用される鋏は、ウェアに装着され得るものであることが好ましく、そのため、軽量でコンパクトであることが要請されている。
【０００６】
一方、鋏本体が常にケースと合体されているから、鋏の使用時に鋏本体とケースとの間にがたつきが生じるおそれがある。鋏本体とケースとの間にがたつきが生じれば、鋏が使いにくくなるため、この問題を回避するために対策を高じる必要がある。
【０００７】
本発明は、かかる背景のもとになされたものであって、安全に使用及び保管することができる軽量コンパクトな鋏を提供することである。
【課題を解決するための手段】
【０００８】
(1) 上記目的が達成されるため、本発明に係る鋏は、Ｕ字状に形成された基部及び基部の各先端部に対向するように設けられた一対の刃部を有する鋏本体と、一方の刃部が峰側から挿入されるように断面形状がＣ字状に形成された一方のカバー片及び他方の刃部が峰側から挿入されるように断面家状がＣ字状に形成された他方のカバー片を有する安全カバーとを備える。また、この鋏は、各カバー片の先端部同士が近接すると共に後端部同士が離反する閉塞姿勢と各カバー片の先端部同士が離反すると共に後端部同士が近接する開放姿勢との間で上記安全カバーが姿勢変化するように上記各カバー片を連結するピボットと、当該ピボットが上記基部の内側で当該基部の先端部側から基端部側へ移動されることによって上記刃部が露出され且つ上記基部が被われた状態で上記安全カバーを上記開放姿勢に保持すると共に、ピボットが上記基部の内側で当該基部の基端部側から先端部側へ移動されることによって上記基部が露出され且つ上記刃部が被われた状態で上記安全カバーを上記閉塞姿勢に保持する姿勢保持手段とを備えている。
【０００９】
この鋏本体は、Ｕ字状に形成された基部及びこれに設けられた一対の刃部とを有し、いわゆる握り鋏（和鋏）として構成されている。したがって、本発明に係る鋏は、釣糸、裁縫糸、刺繍糸の切断等の細かい作業に適している。安全カバーを構成する一方のカバー片は断面径所油がＣ字状に形成されているから、一方の刃部は、この一方のカバー片に峰及び当該峰に連続する面が囲繞保持される。他方の刃部も同様に、他方のカバー片に峰及び当該峰に連続する面が囲繞保持される。
【００１０】
この鋏が使用されるときは、上記ピボットが上記基部の基端側へ移動される。これにより、安全カバーが開放姿勢となって上記刃部が露出する。さらに、姿勢保持手段により安全カバーが当該開放姿勢に保持される。この鋏の使用者は、上記安全カバーと共に上記基部を握ることができるので、確実に当該鋏を把持することができる。すなわち、開放姿勢に変化した安全カバーは、当該鋏の把手を兼ねることになる。使用者は、この安全カバーを握ることによって、釣糸等を簡単に切断することができる。また、当該鋏が保管されるときは、上記安全カバーが閉塞姿勢に変化される。これにより、鋭利な刃部が被われるので、当該鋏が安全に保管される。しかも、安全カバーが開放姿勢となったときは、上記刃部が露出して上記基部が被われ、他方、安全カバーが閉塞姿勢となったときは、上記刃部が被われ、上記基部が露出する。すなわち、この安全カバーのサイズは、鋏本体のサイズよりも小さく設定されていることになり、したがって、この安全カバーが開放姿勢又は閉塞姿勢のいずれの姿勢に変化した場合であっても、鋏の全長が大幅に大きくならない。
【００１１】
(2) 上記姿勢保持手段は、上記基部に設けられ、上記安全カバーが上記開放姿勢に変化したときに上記ピボットよりも上記先端部側で各カバー片の内壁面を押圧すると共に、上記安全カバーが上記閉塞姿勢に変化したときに上記ピボットよりも上記基端部側で各カバー片の内壁面を押圧する押圧面部を備えて構成され得る。
【００１２】
この構成では、安全カバーが開放姿勢に変化すると、基部の押圧面部がカバー片の内壁面を押圧する。この押圧位置は、上記ピボットよりも上記基部の先端部側であるから、上記押圧面が上記カバー片を押圧することによって安全カバーが開放姿勢側へ強制的に変位される。また、安全カバーが閉塞姿勢に変化すると、基部の押圧面部がカバー片の内壁面を押圧する。この押圧位置は、上記ピボットよりも上記基部の基端部側であるから、上記押圧面が上記カバー片を押圧することによって安全カバーが閉塞姿勢側へ強制的に変位される。このように、上記押圧面部が形成されることによって、簡単に且つ確実にに安全カバーの姿勢保持が実現される。
【００１３】
(3) 上記各カバー片の先端部に、当該安全カバーが上記閉塞姿勢となったときに面接触する平坦面が形成されているのが好ましい。
【００１４】
この平坦面が形成されることにより、安全カバーが閉塞姿勢となったときに各カバー片の先端部が確実に接触する。これにより、鋏の保管時に刃部が安全カバーによって確実に保護される。
【００１５】
(4) 上記一対の刃部は、その一部が対向方向に交差するように当該対向方向に直交する方向に重ね合わされており、上記基部は、当該基部の先端部側から基端部側への上記ピボットの移動を規制する移動規制部材を備えているのが好ましい。
【００１６】
この構成では、ピボットが上記基部の先端部側へ移動したときは、上記交差する刃部に当接し、また、ピボットが上記基部の基端部側へ移動したときは、上記移動規制部材に当接する。したがって、安全カバーの姿勢変化に際し、当該安全カバーが鋏本体から脱落することはない。
【００１７】
(5) 上記安全カバーは、指掛部を備えているのが好ましい。
【００１８】
これにより、鋏の操作が一層簡単になり、釣糸等が一層容易に切断される。
【００１９】
(6) 上記安全カバーは、畜光材を有する樹脂からなるのが好ましい。
【００２０】
これにより、鋏は、例えば夜間での使用が可能となる。
【００２１】
(7) 上記基部の内底部に磁石が設けられているのが好ましい。
【００２２】
これにより、鋏は、例えば強磁性体に接着することができる。したがって、例えば、この鋏が釣りに使用される場合は、釣人が衣服（典型的にはライフジャケット）に強磁性体からなるプレートを設置しておくことにより、鋏は、このプレートに容易に着脱される。
【００２３】
(8) 上記磁石は、指を掛けることができる凹部を備えているのが好ましい。
【００２４】
この構成では、使用者は、上記凹部に指を掛けることができるので、鋏の着脱作業が一層簡単なものとなる。
【発明の効果】
【００２５】
本発明によれば、鋏本体がコンパクトに設計された場合であっても、安全カバーが鋏本体の把手を兼ねるので、使用者は、鋏本体を容易且つ安全に操作することができる。また、鋏の不使用時には、安全カバーが刃部を被うので、この鋏は、安全に保管される。
【発明を実施するための最良の形態】
【００２６】
以下、適宜図面が参照されつつ、好ましい実施形態に基づいて本発明が詳細に説明される。
【００２７】
図１は、本発明の一実施形態に係る鋏の正面図であり、図２は、右側面図である。
【００２８】
この鋏１０は、鋏本体１１と、これに設けられた安全カバー１２とを備えている。本実施形態に係る鋏１０の特徴とするところは、鋏本体１１がいわゆる握り鋏として構成されており、鋏１０が釣糸や刺繍糸の切断等の細かい作業に適している点、安全カバー１２は常に鋏本体１１に取り付けられており、安全カバー１２が後述のように姿勢変化することによって、鋏本体１１の刃部２２、２３を安全に保護するカバーとして機能すると共に、鋏１０が使用される際の把手として機能するようになっている点、及び鋏１０は、全体としてコンパクト設計がなされており、例えば釣りの際に釣人にとって携帯に便利なものとなっている点である。
【００２９】
図３は、鋏本体１１の正面図である。
【００３０】
図１及び図３が示すように、鋏本体１１は、基部１４と、上記刃部２２、２３とを備えている。
【００３１】
図２及び図３が示すように、基部１４は、細長帯状の部材がＵ字状に湾曲形成されることによって構成されている。このため、基部１４の端部１６、１７（先端部）が対向配置されている。本実施形態では、この基部１４は樹脂からなり、同図が示すようなＵ字状に成形されている。もっとも、基部１４は、金属板が前述のように湾曲されることにより構成されていてもよいことは勿論である。要するに、基部１４は、上記端部１６及び端部１７が互いに近接又は離反することができるように弾性変形が可能であればよい。
【００３２】
図４ないし図７は、ぞれぞれ、図３におけるIV−IV断面図、V−V断面図、VI−VI断面図及びVII−VII断面図である。
【００３３】
図３及び図４が示すように、基部１４の端部１６、１７の断面形状は、全体として矩形に形成されている。基部１６、１７の対向する面１８、１９に溝２０、２１が設けられている（図４参照）。この溝２０に上記刃部２２が取り付けられ、また、上記溝２１に上記刃部２３が取り付けられるようになっている（図３参照）。これら溝２０、２１は、基部１４の長手方向に延びており、図３が示すように基部１４の中央部まで達している。この溝２０、２１の幅寸法は、刃部２２、２３の肉厚寸法に対応されており、各刃部２２、２３が確実に固定されるようになっている。なお、この溝２０、２１の内奥部に位置決めピン２４が設けられている。この位置決めピン２４は、半球状に形成されており、当該溝２０、２１の壁面に突設されている。後述されるが、上記刃部２２、２３は、この位置決めピン２４に係合することによって、上記溝２０、２１内に位置決め固定される。
【００３４】
図３及び図５が示すように、基部１４の外側面２７（押圧面部）は、所定の曲面に形成されており、図３において左右方向に拡がりつつ上方へ延びている。この外側面２７に保持ピン２８、２９が設けられている。この保持ピン２８、２９も上記外側面２７の一部を構成している。後に詳述されるが、上記外側面２７がこのような曲面に形成されることによって、上記安全カバー１２が後述の開放姿勢（図１３参照）と閉塞姿勢（図１参照）との間で姿勢変化すると共に、当該開放姿勢又は閉塞姿勢に保持されるようになっている。すなわち、上記保持ピン２８、２９を含む上記外側面２７は、上記安全カバー１２の姿勢を保持するための姿勢保持手段を構成している。本実施形態では、上記保持ピン２８、２９が半球状に形成され、基部１４と一体的に形成されている。もっとも、保持ピン２８、２９が金属等により構成され、上記外側面２７に固定されていてもよい。
【００３５】
図３及び図６が示すように、基部１４の腰部３２（基部１４の湾曲された下部）に連結部材３３（移動規制部材）が配置されている。この連結部材３３は、薄肉の平板状部材からなる。この連結部材３３は、図３が示すようなアーチ状に湾曲されており、上記腰部３２の内側に左右に架け渡すように配置されている。後に詳述されるが、この連結部材３３が設けられることによって、上記安全カバー１２が姿勢変化する際の移動が規制される。また、この連結部材３３により、基部１４の剛性が向上する。本実施形態では、この連結部材３３は、基部１４と一体的に形成されている。もっとも、連結部材３３が金属等により構成され、基部１４の内側に固定されていてもよい。
【００３６】
図３及び図７が示すように、基部１４の上記腰部３２の内側（基部の内底部）に円環部材３４が設けられている。この円環部材３４も基部１４と一体的に形成されており、上記腰部３２の一部を構成している。本実施形態では、この円環部材３４が基部１４と一体的に形成されているが、円環部材３４が金属等により構成され、上記腰部３２に嵌め込まれていてもよいことは勿論である。この円環部材３４の中心に、図３において紙面に垂直な方向に凹部５２が設けられている。この凹部５２は、図７が示すように、円環部材３４の表裏に設けられており、円形に形成されている。これら凹部５２が設けられることによる作用効果については後述される。
【００３７】
図３が示すように、上記刃部２３は、鋼からなる。刃部２３の背側（同図において左側）は、峰３５を形成しており、この峰３５の反対側縁部（同図において、右側縁部）に刃３７が形成されている。また、刃部２３は、取付脚部３６を備えており、この取付脚部３６は、上記峰３５の下方に連続して形成されている。この取付脚部３６には、取付凹部３８が設けられている。この刃部２３は、上方から上記基部１４に設けられた溝２１に挿入される。これにより、刃部２３の取付脚部３６及び上記峰３５が上記溝２１内に進入し、上記取付凹部３８と上記位置決めピン２４とが嵌合する。これにより、刃部２３は、基部１４の端部１７に位置決めされる。なお、刃部２３は、例えば接着剤等により上記端部１７に固着されていてもよい。
【００３８】
刃部２２は、刃部２３と同様に鋼からなる。また、刃部２２は、刃部２３と同様の形状であり、上記基部１４の端部１６に刃部２３と同様に取り付けられている。ただし、刃部２２は、刃部２３を表裏反転させた状態で上記端部１６に取り付けられている。すなわち、刃部２２も、背側（同図において右側）に峰３９が形成されており、この峰３９の反対側縁部（同図において、左側縁部）に刃４０が形成されている。上記刃部２３と同様に、刃部２２の峰３９の下方に連続して取付脚部４１が形成されており、この取付脚部４１に取付凹部４２が設けられている。刃部２３と同様に刃部２２も上方から上記基部１４に設けられた溝２０に挿入される。これにより、刃部２２の取付脚部４１及び上記峰３９が上記溝２０内に進入し、上記取付凹部４２と上記位置決めピン２４とが嵌合することによって、刃部２２が基部２４の端部１６に位置決めされる。なお、刃部２２も、例えば接着剤等により上記端部１６に固着され得る。
【００３９】
刃部２２及び刃部２３が前述のように基部１４に固定されることにより、刃部２２と刃部２３は、図３が示すように対向する。すなわち、刃部２２と刃部２３は、紙面に垂直な方向（各刃部２２、２３が対向する方向に直交する方向）に重ね合わされ、しかも、刃部２２の下部（一部）と刃部２３の下部（一部）が当該対向方向に交差する。したがって、各刃３７、４０の間に例えば釣糸等が配置され、上記端部１６、１７が互いに近接するように基部１４が操作されると、一対の刃３７、４０間に釣糸等が挟み込まれ、切断される。
【００４０】
図８は、安全カバー１２の正面図である。
【００４１】
図１、図２及び図８が示すように、安全カバー１２は、一対のカバー片７１、７２と、これらを連結するピボット７３とを有する。カバー片７１（一方のカバー片）及びカバー片７２（他方のカバー片）は、例えば樹脂から構成されている。本実施形態では、このカバー片７１、７２を構成する樹脂に畜光材が混入されている。畜光材としては、例えばＺｎＳ、Ｃｕ、ＣａＳ等の硫化物蛍光体のほか、アルミン酸塩蛍光体が使用され得る。なお、このような畜光材が樹脂に混入される代わりに、カバー片７１、７２に塗料として塗布されていてもよい。
【００４２】
図９及び図１０は、それぞれ、図８におけるIX−IX断面図及びX−X断面図である。また、図１１は、カバー片７１の左側面図であり、図１２は、カバー片７２の右側面図である。
【００４３】
図８及び図９が示すように、カバー片７１は、断面形状がＣ字状に形成されている。すなわち、カバー片７１は、背板７４と、この背板７４の両端部に連続する一対の側板７５、７６とを備えている。したがって、これら背板７４及び側板７５、７６によって、図８において上下方向（図９において紙面に垂直な方向）に延びる内溝７７が形成されている。カバー片７１がかかる形状に形成されることによって、図１及び図１３が示すように、刃部２２が峰３９から上記内溝７７に挿入され得るようになっている。すなわち、このカバー片７１によって、刃部２２が囲繞されるようになっている。また、図８及び図１２が示すように、このカバー片７１の下方に一対の連結板７８が形成されている。具体的には、上記側板７５、７６の下方にこれらと一体的に連結板７８が突設されている。図１２が示すように、各連結板７８の内側に薄肉部７９が形成されている。図８が示すように、後述されるカバー片７２の連結板８０が、この薄肉部７９間に挿入されるようになっている。
【００４４】
図８及び図９が示すように、カバー片７２もカバー片７１と同様に、断面形状がＣ字状に形成されている。すなわち、カバー片７２は、背板８１と、この背板８１の両端部に連続する一対の側板８２、８３とを備えている。したがって、これら背板８１及び側板８２、８３によって、図８において上下方向（図９において紙面に垂直な方向）に延びる内溝８４が形成されている。上記カバー片７１と同様にカバー片７２がかかる形状に形成されることによって、図１及び図１３が示すように、刃部２３が峰３５から上記内溝８４に挿入され得るようになっている。すなわち、このカバー片７２によって、刃部２３が囲繞されるようになっている。また、図８及び図１１が示すように、このカバー片７２の下方に一対の連結板８０が形成されている。具体的には、上記側板８２、８３の下方にこれらと一体的に連結板８０が突設されている。この連結板８０は、前述のように、カバー片７２の連結板７８と嵌合する。
【００４５】
図８及び図１０が示すように、カバー片７１及びカバー片７２は、それぞれの溝７７、８４の開口同士が対向するように配置されている。このとき、カバー片７２の連結板８０は、カバー片７１の連結板７８の内側に嵌め込まれている。図１０が示すように、カバー片７１の連結板７８及びカバー片７２の連結板８０に貫通孔８６が設けられている。この貫通孔８６に上記ピボット７３が嵌め込まれている。そのため、各カバー片７１、７２は、このピボット７３を中心にして相対的に回動可能となっている。したがって、このピボット７３を中心にして各カバー片７１、７２が回動すると、安全カバー１２は、図８が示すように、各カバー片７１、７２の先端部８７、８８同士が離反すると共に後端部８９、９０同士が近接した姿勢（上記開放姿勢：図１３参照）となる。また、この状態から、各カバー片７１、７２が回動すると、安全カバー１２は、各カバー片７１、７２の先端部８７、８８同士が近接すると共に後端部８９、９０同士が離反した姿勢（上記開放姿勢：図１参照）となる。
【００４６】
また、各カバー片７１、７２の外側面９１、９２に指掛部９３が設けられている。この指掛部９３は、本実施形態では複数の凹条から構成されている。この凹条は、図８が示すように、紙面に垂直な方向に延びており、この鋏１０の使用者が安全カバー１２を把持したときの滑止めとして機能する。使用者は、この指掛部９３に指を掛けることによって安全カバー１２を確実に操作することができる。なお、この指掛部９３は、各カバー片７１、７２の外側面９１、９２のほか、正面９４、９５又は背面に設けられていてもよい。さらに、指掛部９３の形状は、上記凹条に限定されるものではなく、使用者の指が容易に掛けられるものであれば、凸部によって構成されていてもよいことは勿論である。
【００４７】
図１が示すように、安全カバー１２の長手方向寸法Ｌ１は、鋏本体１１の長手方向寸法Ｌ２よりも小さく設定されている。具体的には、本実施形態に係る鋏１０では、上記寸法Ｌ２が６０ｍｍに設定され、上記寸法Ｌ１が４０ｍｍに設定されている。寸法Ｌ１、Ｌ２は、これらに限定されるものではないが、鋏本体１１の長手方向寸法Ｌ２が４０ｍｍ〜１００ｍｍの範囲に設定されるのが好ましい。寸法Ｌ２がこの範囲に設定されることにより、鋏本体１１がコンパクトに形成され、携帯に便利だからである。また、安全カバー１２の長手方向寸法Ｌ１は、上記寸法に限定されるものではなく、上記寸法Ｌ２の５１％〜７０％の範囲で適宜設定され得る。
【００４８】
本実施形態では、上記ピボット７３は、図１が示すように、鋏本体１１の基部１４の内側に配置されている。そして、上記カバー片７１は、上記基部１４の右側から上記刃部２２及び基部１４の端部１６を被い、上記カバー片７２は、上記基部１４の左側から上記刃部２３及び基部１４の端部１７を被う。上記ピボット７３は、基部１４の内側で上下にスライド可能となっている。ただし、前述のように、刃部２２、２３が交差しており、且つ上記連結部材３３が設けられていることから、上記ピボット７３は、上方にスライドすることによって上記刃部２２、２３と当接し、下方にスライドすることによって上記連結部材３３と当接する。すなわち、上記ピボット７３は、上記刃部２２、２３と上記連結部材３３との間でのみスライド可能であり、これにより、安全カバー１２は、常時鋏本体１１に取り付けられていることになる。
【００４９】
図１３は、鋏１０の正面図であり、安全カバー１２が開放姿勢に変化した状態が図示されている。
【００５０】
上記ピボット７３は、前述のように基部１４の内側で上下にスライド可能となっているため、安全カバー１２は、図１が示す閉塞姿勢と、図１３が示す開放姿勢との間で自在に姿勢変化することができる。安全カバー１２が上記サイズに設定されているので、安全カバー１２は、閉塞姿勢となることによって図１が示すように上記刃部２２、２３を被って上記基部１４を露出させる。また、安全カバー１２が開放姿勢となることによって、図１３が示すように、上記基部１４が被われ、上記刃部２２、２３が露出される。
【００５１】
さらに詳述すれば、この鋏１０の作業者は、鋏１０を手に取り、安全カバー１２を図１に示す状態から下方にスライドさせて図１３が示す位置までスライドさせることができる。このとき、鋏本体１１の基部１４の外側面２７は、前述のような曲面に形成されていることから、各カバー片７１、７２が上記基部１４に対して相対的にスライドしたときに、図１３が示すように、上記保持ピン２８、２９が各カバー片７１、７２に当接する。すなわち、上記保持ピン２８は、上記ピボット７３よりも上記基部１４の端部１６側（基部の先端部側）の位置においてカバー片７１の背板７４の内壁面９５を外側に押圧する。また、上記保持ピン２９は、上記ピボット７３よりも上記基部１４の端部１７側（基部の先端部側）の位置においてカバー片７２の背板８１の内壁面９６を外側に押圧する。このように保持ピン２８、２９が各カバー片７１、７２を押圧するので、安全カバー１２は、同図が示す開放姿勢に位置決め保持される。
【００５２】
また、当該作業者は、鋏１０を手に取り、安全カバー１２を図１３に示す状態から上方にスライドさせて図１が示す位置までスライドさせることができる。このとき、上記基部１４の外側面２７が前述のような曲面に形成されているので、各カバー片７１、７２が上記基部１４に対して相対的にスライドしたときに、図１が示すように、上記基部１４の外側面２７は、各カバー片７１、７２の下方に当接する。すなわち、上記基部１４の端部１６側の外側面２７は、上記ピボット７３よりも上記基部１４の腰部３２側（基部の基端部側）の位置においてカバー片７１の背板７４の内壁面９５を外側に押圧する。また、上記基部１４の端部１７側の外側面２７も同様に、上記ピボット７３よりも上記基部１４の腰部３２側（基部の基端部側）の位置においてカバー片７１の背板７４の内壁面９６を外側に押圧する。このように樹沖外側面２７によって各カバー片７１、７２が押圧されるので、安全カバー１２は、同図が示す閉塞姿勢に位置決め保持される。
【００５３】
本実施形態に係る鋏１０は、前述のように握り鋏（和鋏）として構成されており、したがって、釣糸、裁縫糸、刺繍糸の切断等の細かい作業に適している。図１４は、使用状態における鋏１０の正面図である。
【００５４】
この鋏１０が使用されるときは、前述のように、安全カバー１２が上記基部１４の腰部３２側へ移動され、開放姿勢に保持される。このとき、鋏１０の刃部２２、２３が露出する。この鋏１０の使用者は、刃部２２、２３の間に切断しようとする釣糸等を配置し、同図が示すように基部１４を握ることによって、当該釣糸等を切断することができる。使用者は、安全カバー１２と共に上記基部１４を握ることができるので、確実に当該鋏１０を把持することができる。すなわち、開放姿勢に変化した安全カバー１２は、当該鋏１０の把手を兼ねることになり、使用者は、この安全カバー１２を握ることによって、釣糸等を簡単に切断することができる。また、当該鋏１０が保管されるときは、前述のように、上記安全カバー１２が上記基部１４の端部１６、１７側へ移動され、閉塞姿勢に保持される。これにより、鋭利な刃部２２、２３が被われるので、当該鋏１０が安全に保管される。
【００５５】
しかも、図１が示すように、この安全カバー１２のサイズは、鋏本体１１のサイズよりも小さく設定されているから、安全カバー１２が開放姿勢となったときは、上記刃部２２、２３が露出して上記基部１４が被われ、他方、安全カバー１２が閉塞姿勢となったときは、上記刃部２２、２３が被われ、上記基部１４が露出する。したがって、この安全カバー１２が開放姿勢又は閉塞姿勢のいずれの姿勢に変化した場合であっても、鋏１０の全長が大幅に大きくならない。
【００５６】
このように、本実施形態に係る鋏１０によれば、鋏本体１１がコンパクトに設計され得るので、例えば磯釣り等で使用される場合であっても、使用者（釣人）は、鋏１０を容易に携帯することができる。また、前述のように安全カバー１２が鋏本体１１の把手を兼ねているので、使用者は、鋏本体１１を容易且つ安全に操作することができる。さらに、鋏１０の不使用時には、安全カバー１２が上記刃部２２、２３を被うので、この鋏１０は、安全に保管される。
【００５７】
特に本実施形態では、安全カバー１２の姿勢を開放姿勢又は閉塞姿勢に保持するために、基部１４の外側面２７が所定の形状に形成されている。このため、安全カバー１２の姿勢保持手段が簡単な構造で安価に構成されるから、鋏１０の製造コストの上昇が抑えられるという利点がある。加えて、安全カバー１２が上記開放姿勢に保持されるから、鋏１０の使用中において、安全カバー１２が鋏本体１１に対して簡単に位置ずれすることがなく、鋏１０の使い勝手が向上し、より一層安全な使用が実現される。また、安全カバー１２は上記閉塞姿勢にも保持されるから、鋏１０の保管時においても安全カバー１２が鋏本体１１に対して位置ずれすることがなく、鋏１０の保管時の安全性が向上する。
【００５８】
また、本実施形態では、一対の刃部２２、２３及び上記連結部材３３が設けられているので、上記ピボット７３のスライドが一定範囲内において許容される。すなわち、ピボット７３が上記基部１４の端部１６、１７側へ移動したときは、上記刃部２２、２３に当接して移動が規制され、また、ピボット７３が上記基部１４の腰部３２側へ移動したときは、上記連結部材３３によって移動が規制される。したがって、安全カバー１２の姿勢変化に際し、当該安全カバー１２が鋏本体１１から脱落することはないという利点もある。
【００５９】
さらに、本実施形態では、上記安全カバー１２は、指掛部９３を備えているから、使用者にとって鋏１０の操作が一層簡単になり、釣糸等が一層容易に切断される。
【００６０】
加えて、本実施形態では、上記安全カバー１２が畜光材を有する樹脂から構成されているので、鋏１０は、例えば夜間においても容易に使用することができる。
【００６１】
次に、本実施形態の変形例について説明される。
【００６２】
図１５は、本実施形態の変形例に係る鋏１００の正面図である。
【００６３】
本変形例に係る鋏１００が上記実施形態に係る鋏１０と異なるところは、安全カバー１２を構成するカバー片１０１、１０２の先端部８７、８８に平坦面１０３、１０４が形成されている点である。なお、その他の構成については、上記実施形態と同様である。
【００６４】
同図が示すように、カバー片１０１、１０２にそれぞれ上記平坦面１０３、１０４が形成されることにより、安全カバー１２が閉塞姿勢となったときに各カバー片１０１、１０２の先端部が確実に面接触する。これにより、鋏１００の保管時に刃部２２、２３が安全カバー１２によってより確実に保護される。
【００６５】
次に、本実施形態の他の変形例について説明される。
【００６６】
図１６は、本実施形態の他の変形例に係る鋏１０３の要部拡大断面図である。同図は、鋏本体１１の基部１４の断面を示しており、図３におけるVII−VII断面図である。
【００６７】
本変形例に係る鋏１０３が上記実施形態に係る鋏１０と異なるところは、基部１４の腰部３２に設けられた凹部５２に磁石５３が嵌め込まれている点である。なお、その他の構成については、上記実施形態と同様である。
【００６８】
磁石５３は、円盤状に形成されている。磁石５３の外形形状は、上記凹部５２の形状に対応されており、磁石５３は、上記凹部５２に嵌合固定されている。また、この磁石５３の側面に指掛孔５４が設けられている。この指掛孔５４は、磁石５３の表面に設けられた凹部から構成されている。指掛孔５４は、本変形例では円形に形成されているが、指掛孔５４の形状は、指先が引っ掛かるものであれば特に限定されない。
【００６９】
上記磁石５３が設けられることにより、鋏１０３は、例えば強磁性体に接着することができる。したがって、例えば、この鋏１０３が釣りに使用される場合は、釣人が着るライフジャケット等に強磁性体からなるプレートを設置しておくことにより、鋏１０３は、このプレートに容易に着脱されるという利点がある。また、磁石５３に上記指掛孔５４が設けられているので、釣人は、この指掛孔５４に指を掛けて鋏１０３を操作することができるという利点もある。
【産業上の利用可能性】
【００７０】
本発明は、釣りや裁縫等に使用される鋏にに適用され得る。
【図面の簡単な説明】
【００７１】
【図１】図１は、本発明の一実施形態に係る鋏の正面図である。
【図２】図２は、本発明の一実施形態に係る鋏の右側面図である。
【図３】図３は、本発明の一実施形態に係る鋏本体の正面図である。
【図４】図４は、図３におけるIV−IV断面図である。
【図５】図５は、図３におけるV−V断面図である。
【図６】図６は、図３におけるVI−VI断面図である。
【図７】図７は、図３におけるVII−VII断面図である。
【図８】図８は、本発明の一実施形態に係る鋏の安全カバーの正面図である。
【図９】図９は、図８におけるIX−IX断面図である。
【図１０】図１０は、図８におけるX−X断面図である。
【図１１】図１１は、本発明の一実施形態に係る一方のカバー片の左側面図である。
【図１２】図１２は、本発明の一実施形態に係る他方のカバー片の右側面図である。
【図１３】図１３は、本発明の一実施形態に係る鋏の正面図である。
【図１４】図１４は、本発明の一実施形態に係る鋏の正面図である。
【図１５】図１５は、本発明の一実施形態の変形例に係る鋏の正面図である。
【図１６】図１６は、本発明の一実施形態の他の変形例に係る鋏の要部拡大断面図である。
【符号の説明】
【００７２】
１０・・・鋏
１１・・・鋏本体
１２・・・安全カバー
１４・・・基部
１６・・・端部
１７・・・端部
２２・・・刃部
２３・・・刃部
２４・・・位置決めピン
２７・・・外側面
２８・・・保持ピン
２９・・・保持ピン
３２・・・腰部
３３・・・連結部材
３５・・・峰
３９・・・峰
５２・・・凹部
５３・・・磁石
５４・・・指掛孔
７１・・・カバー片
７２・・・カバー片
７３・・・ピボット
７４・・・背板
７７・・・内溝
８１・・・背板
８４・・・内溝
８６・・・貫通孔
８７・・・先端部
８８・・・先端部
８９・・・後端部
９０・・・後端部
９３・・・指掛部
９５・・・内壁面
９６・・・内壁面
１００・・・鋏
１０１・・・カバー片
１０２・・・カバー片
１０３・・・鋏
【図１】
2007167139.tif 000003
【図２】
2007167139.tif 000004
【図３】
2007167139.tif 000005
【図４】
2007167139.tif 000006
【図５】
2007167139.tif 000007
【図６】
2007167139.tif 000008
【図７】
2007167139.tif 000009
【図８】
2007167139.tif 000010
【図９】
2007167139.tif 000011
【図１０】
2007167139.tif 000012
【図１１】
2007167139.tif 000013
【図１２】
2007167139.tif 000014
【図１３】
2007167139.tif 000015
【図１４】
2007167139.tif 000016
【図１５】
2007167139.tif 000017
【図１６】
2007167139.tif 000018